(57)【要約】【課題】  警告情報を含まない割り込み情報を、警告情報を含む割り込み情報と区別し易い車両用表示装置を提供する。【解決手段】  表示器１５は、カラー画像を表示可能である。制御手段２１は、表示器１５に車両情報及び割り込み情報を表示させる。制御手段２１は、警告情報を含む割り込み情報をカラー画像で表示させ、警告情報を含まない前記割り込み情報をグレースケール画像から徐々にカラー画像へ変化するように表示させる。【選択図】  図１
2015020653.tif 000002
【特許請求の範囲】
【請求項１】
カラー画像を表示可能な表示器と、前記表示器に車両情報及び割り込み情報を表示させる制御手段と、を備え、
前記制御手段は、警告情報を含む前記割り込み情報をカラー画像で表示させ、警告情報を含まない前記割り込み情報をグレースケール画像から徐々にカラー画像へ変化するように表示させることを特徴とする車両用表示装置。
【発明の詳細な説明】
【技術分野】
【０００１】
本発明は、割り込み情報を表示する車両表示装置に関するものである。
【背景技術】
【０００２】
車両用表示装置としては、例えば特許文献１に携帯情報機器（外部機器）と車両に搭載された車載用マルチメディアコンピュータ（車両搭載機器）とを接続し、互いに制御可能な構成としたものが開示されている。これにより、車両の利用者は、携帯情報機器の持っている各種機能を起動させるべく、車載用マルチメディアコンピュータの液晶ディスプレイ（表示器）に表示されている各種起動ボタン（例えばオーディオプレイヤー起動用のオーディオ起動ボタンやナビゲーションシステム起動用のナビ起動ボタン、インターネットブラウザ起動用のネット起動ボタン）を操作することで、携帯情報機器の持っている機能を利用することが可能となっている。
【先行技術文献】
【特許文献】
【０００３】
【特許文献１】特開２００１−２２４８２号公報
【発明の概要】
【発明が解決しようとする課題】
【０００４】
しかしながら、携帯情報機器の情報と車両走行情報を同一の表示領域で表示した場合、特に割り込みワーニング表示と、携帯情報機器から出力されたコンテンツで、表示のされ方に違いが無く、特にワーニングは表示色が大きな役割を果たしている現状において、仮に携帯情報機器から出力された画像が赤やオレンジ色だった場合、警告情報であるワーニング表示と混同されてしまう虞があった。
本発明は、この課題に対処するため、割り込みワーニング表示と外部機器情報を同一の領域に表示する場合でも、それらを複雑な処理をせずとも区別できるよう表示させることが可能な車両用表示装置を提供するものである。
【課題を解決するための手段】
【０００５】
本発明は、カラー画像を表示可能な表示器と、前記表示器に車両情報及び割り込み情報を表示させる制御手段と、を備え、前記制御手段は、警告情報を含む前記割り込み情報をカラー画像で表示させ、警告情報を含まない前記割り込み情報をグレースケール画像から徐々にカラー画像へ変化するように表示させるものである。
【発明の効果】
【０００６】
警告情報を含まない割り込み情報をグレースケール画像から徐々にカラー画像へ変化させることにより、警告情報を含む割り込み情報と区別し易い表示になる。
【図面の簡単な説明】
【０００７】
【図１】本発明の実施形態を示すブロック図。
【図２】同上実施形態を示す画面説明図。
【図３】同上実施形態を示す画面説明図。
【図４】同上実施形態を示す画面説明図。
【図５】同上実施形態を示す色度情報の説明図。
【図６】同上実施形態を示すフロー図。
【発明を実施するための形態】
【０００８】
以下、添付図面に基づいて、本発明の一実施形態を説明する。車両用表示装置１００は、画像処理部１１，制御部２１を備えている。
【０００９】
画像処理部１１は、グラフィック制御用マイコンからなるものである。携帯情報機器２００からの映像信号は、画像処理部１１に入力される。制御部２１は、車両情報処理用マイコンからなるものである。エンジンやトランスミッションを制御する車両ＥＣＵ群３００からの車両情報は、制御部２１に入力される。制御部２１は携帯情報機器２００と接続されており、携帯情報機器２００の制御信号が入出力される。
【００１０】
制御部２１は、プログラム格納用のＲＯＭ２２、処理の作業エリア用のＲＡＭ２３、車両の積算走行距離や色調整設定値の格納用のＥＥＰＲＯＭ２４が接続されており、ＲＡＭ２２を処理の作業エリアとして、ＲＯＭ２２に格納されているプログラムに従って所定の処理を実行する。
前記所定の処理は、車両ＥＣＵ群３００からの車両情報に基づいて、残燃料、車両の積算距離、車速、エンジン回転数を算出し、画像処理部１１に表示用車両情報を送信する。制御部２１は、残燃料が少なくなった場合に、画像処理部１１に割り込み表示情報を送信する。
【００１１】
制御部２１は、ＲＯＭ２２またはＥＥＰＲＯＭ２４に格納されているＲＧＢ制御情報を画像処理部１１に送信する。ＲＧＢ制御情報は、表示器１５の第１表示領域用のＲＧＢそれぞれの色制限値や補正式と、第２表示領域用のＲＧＢそれぞれの色制限値や補正式を示す。
制御部２１は、接続された携帯情報機器２００からの各種入力情報（例えば端末の機種情報や残電池量やＧＰＳ情報、またユーザーによる携帯情報機器２００の操作情報など）を用いて、各種出力（例えば、残電池が少ない場合には充電機能を有効にする、ユーザーの操作情報を表示器１５およびメータ部の操作に反映する、など）を行うことができる。
【００１２】
画像処理部１１は、プログラム格納用のＲＯＭ１２、処理の作業エリア用のＲＡＭ１３、表示器１５に表示する画像データの作業エリア用のＶＲＡＭ１４が接続されており、ＲＡＭ１３を処理の作業エリアとして、またＶＲＡＭ１４を表示画像の作業エリアとして、ＲＯＭ１２に格納されている描画プログラムおよび部品画像に従って画像処理を実行する。
【００１３】
画像処理部１１は、制御部２１から送信される表示用車両情報に基づいて、第1表示領域１５ａに各車両情報を表示する。
画像処理部１１は、携帯情報機器２００が接続された場合において、形態情報機器２００から入力された映像または画像を第２表示領域１５ｂに表示する。
画像処理部１１は、制御部２１から送信される割り込み表示情報に基づいて、表示器１５の第２表示領域に、残燃料警告などの割り込み表示を行う。
【００１４】
画像処理部１１は、制御部２１から送信されるＲＧＢ制御情報に基づいて、第１表示領域１５ａと第２表示領域１５ｂに表示させる表示画像のＲＧＢ値に補正処理を行う。表示画像は表示器１５の表示解像度（例えば８００×４８０ピクセル）分についてそれぞれＲ（赤）とＧ（緑）とＢ（青）で８ｂｉｔ（０〜２５５）の値を持っており、いわゆるＲＧＢ形式のピクセルデータで構成されている。
【００１５】
システム構成については、本実施形態に限定されない。例えば、画像処理部１１と制御部２１を統合させたマイコンを使用してもよい。また、本実施形態で、制御部２１が行っている処理を画像処理部１１が行ってもよいし、画像処理部１１が行っている処理を制御部２１で行ってもよい。
【００１６】
表示器１５の表示画面は、車両系の情報を表示する第１表示領域１５ａと、外部機器からの情報を表示する第２表示領域１５ｂとを備えている。第１表示領域１５ａには、残燃料を表示する残燃料計、走行積算計、エンジン回転計とその危険表すレッドゾーン、速度表示が備えられている。第２表示領域１５ｂには、外部機器から表示される外部機器の画像表示を備えている。第２表示領域１５ｂは外部機器の表示に依存するので本実施形態ではナビゲーション表示を行っているがこれに限定されない。
【００１７】
第２表示領域１５ｂに、例えば、オーディオ情報のジャケット表示が行われる。表示された画像の中に鮮やかな赤や鮮やかなオレンジの色が含まれていると、あたかもそこで緊急の割り込みワーニング情報が表示されたかのように誤認される虞があった。そこで、第２表示領域１５ｂでは、画像処理部１１が有する色度段階制御手段によってまずグレースケール画像を表示し、徐々にカラー画像を表示させる。また、あまりに外部機器情報が鮮やかに表示されるのを回避するために揮発性メモリに記憶された色制限値を超えないよう、第２表示領域１５ｂの表示情報のＲＧＢ数値を色制限手段によって変更を行って表示を行うものである。
【００１８】
警告情報が発生した場合、優先度の低い第２表示領域１５ｂに対して割り込み表示が行われる。その際、割り込みされた警告情報には、色度段階制御手段や色制限手段は使用されない。
【００１９】
図５は、画像処理部１１が、画像の色度情報に制御を行っている状態をチャート化したものである。画像処理部１１は、ズレ―スケール画像が表示されてから、徐々に色度情報を増加させ、さらに警告情報よりも色度が高い場合は色制限手段によって第２表示領域１５ｂの表示情報のＲＧＢ数値を色制限値以下に制御する。なお、本実施形態では一定の変化だが、曲線的な変化や、段階的な変化でも良い。
【００２０】
次に、本実施形態における処理の流れを図６に基づいて説明する。まず、制御部２１から送信される車両用表示情報に基づいて、第１表示領域１５ａに表示する画像を、描画プログラムやＲＯＭ１２に格納された部品画像を用いて生成する。次に、割り込み表示要求があるかどうか判別する処理を実行し、割り込み表示がある場合には、制御部２１より送信される割り込み表示情報に基づいて、第２表示領域１５ｂに表示する画像を、描画プログラムやＲＯＭ１２に格納された部品画像を用いて生成する。
【００２１】
割り込み表示が無い場合には、携帯情報機器２００より送信される映像信号に基づいて、第２表示領域１５ｂに表示する画像を生成する。さらに、制御部２１より送信されるＲＧＢ制御情報に基づいて、ＲＧＢの値に対して補正処理を実行する。本実施形態における補正処理は、色度段階制御手段及び色制限手段にて行う。例えば、色度段階制御手段の設定時間が２秒で色制限値が８０％だった場合に、第２表示領域１５ｂに表示する携帯情報機器２００の画像は、色度０のグレースケール画像から２秒間かけて表示器１５が表現可能な色度の８０％まで徐々に色度を増加させる処理を実行するが、他にも、色調バランスに考慮してＲＧＢの各値を個別に補正処理してもよいし、前記色制限値を最大値にした色度のスケーリングを行ってもよい。また、制限値ではなく、補正式（例えば単純にＲ値を１／２にするなど）を用いてもよい。
【００２２】
次に、表示器１５に表示する画像を、第１表示領域１５ａに表示する画像と、第２表示領域１５ｂに表示する画像を基にして生成する。最後に、表示画像を表示器１５に表示する処理を実行する。
【００２３】
本実施形態によれば、警告情報を含まない割り込み情報をグレースケール画像から徐々にカラー画像へ変化させることにより、警告情報を含む割り込み情報と区別し易い表示になる。
【符号の説明】
【００２４】
１５    表示器
１５ａ  第１表示領域
１５ｂ  第２表示領域
２１    制御部（制御手段）
【図１】
2015020653.tif 000003
【図５】
2015020653.tif 000004
【図６】
2015020653.tif 000005
【図２】
2015020653.tif 000006
【図３】
2015020653.tif 000007
【図４】
2015020653.tif 000008